(57)【特許請求の範囲】
【請求項１】
上面に備えた原稿台の全域とその走査方向において前記原稿台から外れた領域との間を移動可能な画像読取り手段を内蔵したベッドと、前記原稿台から外れた領域に回動支点を持って前記ベッドに開閉自在に連接され且つ前記原稿台の全域に被さる原稿カバーと、前記原稿カバーの回動支点側に重合配置され且つ用紙を前記画像読取り手段に沿うパスとして自動給紙する原稿送り装置とを備え、前記原稿送り装置を前記原稿カバーと同じ向きに開閉自在に前記ベッドに連接し、前記原稿カバーと原稿送り装置との間に、両者を開くときには一体に回動し且つ閉じるときには前記原稿送り装置を開いた姿勢に残して前記原稿カバーだけを開閉操作可能な関係を持たせて、前記画像読取り手段は前記原稿送り装置の下部分まで移動範囲があり、前記原稿カバーと前記原稿送り装置のそれぞれの基端を共通のヒンジ軸によってそれぞれ独立して回動自在に連接してなる原稿送り装置を備える画像入力装置。
【請求項２】
前記原稿カバーの上面とこれに重合する前記原稿送り装置の下面との間に、これらの原稿カバーと原稿送り装置とを互いの重合による結合及び前記原稿カバーを閉じる方向への引き離しによる分離操作が可能な着脱機構を備えてなる請求項１記載の原稿送り装置を備える画像入力装置。
【請求項３】
前記着脱機構は、前記原稿カバー側に備えられ前記原稿送り装置の下面側に向けて係合ヘッドを突き出した固定子と、前記原稿送り装置側に備えられ前記係合ヘッドの没入及び離脱を弾性的に許すクランパを備えた受容子とからなる請求項２記載の原稿送り装置を備える画像入力装置。
【請求項４】
前記原稿送り装置とベッドとの間を、前記回動支点周りの前記原稿送り装置の開閉に連動して起倒動作するリンク機構により連接し、前記リンク機構は、前記原稿送り装置をその最大開度まで起立させる上死点と、この上死点よりも小さい開度で前記原稿送り装置を起立姿勢に拘束するロック点とを含む動作を持つ請求項１から３のいずれかに記載の原稿送り装置を備える画像入力装置。
【発明の詳細な説明】
【０００１】
【発明の属する技術分野】
本発明は、原稿用紙等から画像情報を読み取って電子化するフラットベッド型の画像入力装置に係り、特に原稿用紙を自動給紙して連続処理できる原稿送り装置を備えた画像入力装置に関する。
【０００２】
【従来の技術】
用紙やその他の記録媒体から画像情報を読み取るスキャナとして、比較的簡易に使用できるフラットベッド型のものが広く利用されている。このフラットベッド型のスキャナは、ベッドの内部に光学系を利用した走査モジュールを備えるとともに、この走査モジュールに臨んで配置した原稿台とそのカバーとを設けるというのが基本的な構成である。そして、用紙を１枚ずつ手差し操作で原稿台に載せるのに代えて、多数の用紙を１枚ずつ自動的に給紙するための自動原稿供給装置（以下、「ＡＤＦ」と記す）を付帯したものも既に開発されている。
【０００３】
図１１は従来のＡＤＦを備えたフラットベッド型のスキャナの概略を示す側面図である。
【０００４】
同図の（ａ）は光学系の走査モジュールを内蔵したベッド５１の上面に原稿台５１ａを備え、ベッド５１の一端側の上面にＡＤＦ５２を配置するとともにこのＡＤＦ５２とは別体として原稿台５１ａに被さる原稿カバー５３を上下方向に開閉できるように備えた例である。また、同図の（ｂ）は上面に原稿台５４ａを配置したベッド５４の上に、ＡＤＦ５５ａと原稿カバー５５ｂとを一体化した給紙ユニットカバー５５を上下に開閉自在に備える構成としたものである。
【０００５】
このようなＡＤＦ５２，５５ａを備えるスキャナでは、ベッド５１，５４に内蔵した走査モジュールによって原稿台５１ａ，５４ａ上の原稿を読み取る走査と、ＡＤＦ５２ａ，５５ａにも走査系を独自に備えるものが一般的である。そして、ＡＤＦ５２ａ，５５ａから自動給紙した原稿の両面から画像を読み取るときには、その走査系とベッド５１，５４内の走査モジュールとを協働させることで、自動給紙と同時に画像読取りが可能である。
【０００６】
【発明が解決しようとする課題】
ところが、同図（ａ）のものでは、原稿カバー５３はＡＤＦ５２とは無縁なので軽快に開閉することができる一方で、ベッド５１は原稿を載せるための原稿台５１ａと干渉しない位置にＡＤＦ５１を配置することが一つの設計上の制約となる。すなわち、原稿台５１ａはたとえばＡ判の用紙の規定の大きさと対応した平面領域を占めるような形状なので、この原稿台５１ａから外れた位置にＡＤＦ５２を備えることが必要となる。したがって、ベッド５１は原稿台５１ａとＡＤＦ５２との合計の平面積を含む大きさとなり、装置の小型化への対応性に乏しい。
【０００７】
一方、同図の（ｂ）のものでは、ＡＤＦ５５ａの下側部分までベッド５４内の走査モジュールが位置できるようにしておけば、原稿台５４ａ上の原稿の走査だけでなく、ＡＤＦ５５ａから自動給紙される原稿についても読取りできる。そして、ＡＤＦ５５ａが原稿台５４ａの端部に重なる配置としていても、この原稿台５４ａ上の原稿の走査は可能である。したがって、原稿台５４ａの上にＡＤＦ５５ａの一部を重ねる配置とすることができ、同図の（ａ）の構成と比べると、ベッド５４の全体がコンパクト化される。
【０００８】
このように、ベッドの小型化については、ＡＤＦ５５ａと原稿カバー５５ｂを一体にした給紙ユニットカバー５５とすることが好ましい。
【０００９】
ところが、原稿台５４ａに１枚ずつ原稿を抜き差しする作業では、原稿カバー５５ｂを開いたり閉じたりする負担が大きくなる。これは、原稿カバー５５ｂの基端側にＡＤＦ５５ａを一体化しているので、このＡＤＦ５５ａの重量が加わるためである。そして、ＡＤＦ５５ａは原稿用紙を送るためのモータや多数のロール列を備えたものなので全体の重量も大きく、多数の原稿の読取りのために給紙ユニットカバー５５を何回も続けて開閉する作業にはかなりの負担を伴う。
【００１０】
以上のように、原稿カバー５３とＡＤＦ５２とを別体とするものでは、原稿カバー５３の開閉操作は楽であるがベッド５１の小型化が難しい。そして、ＡＤＦ５５ａと原稿カバー５５ｂとを一体としたものでは、逆に、小型化が促されるものの原稿台５４ａを使った手差しの場合では使い勝手が悪い。
【００１１】
本発明において解決すべき課題は、原稿カバーとＡＤＦとの間に連動関係を持たせてベッドの小型化と同時に原稿カバーだけを軽快に開閉操作できる画像入力装置を提供することにある。
【００１２】
【課題を解決するための手段】
本発明の原稿送り装置を備える画像入力装置は、上面に備えた原稿台の全域とその走査方向において前記原稿台から外れた領域との間を移動可能な画像読取り手段を内蔵したベッドと、前記原稿台から外れた領域に回動支点を持って前記ベッドに開閉自在に連接され且つ前記原稿台の全域に被さる原稿カバーと、前記原稿カバーの回動支点側に重合配置され且つ用紙を前記画像読取り手段に沿うパスとして自動給紙する原稿送り装置とを備え、前記原稿送り装置を前記原稿カバーと同じ向きに開閉自在に前記ベッドに連接し、前記原稿カバーと原稿送り装置との間に両者を開くときには一体に回動し且つ閉じるときには前記原稿送り装置を開いた姿勢に残して前記原稿カバーだけを開閉操作可能な関係を持たせて、前記画像読取り手段は前記原稿送り装置の下部分まで移動範囲があり、前記原稿カバーと前記原稿送り装置のそれぞれの基端を共通のヒンジ軸によってそれぞれ独立して回動自在に連接してなることを特徴とする。
【００１３】
この構成によれば、原稿送り装置を原稿カバーにオーバラップで配置できるので装置全体が小型化できるとともに、手差しで用紙を取り扱うときには原稿送り装置を起立させたまま原稿カバーだけを開閉操作すればよく、作業負担の軽減が図れる。
【００１４】
【発明の実施の形態】
請求項１に記載の発明は、上面に備えた原稿台の全域とその走査方向において前記原稿台から外れた領域との間を移動可能な画像読取り手段を内蔵したベッドと、前記原稿台から外れた領域に回動支点を持って前記ベッドに開閉自在に連接され且つ前記原稿台の全域に被さる原稿カバーと、前記原稿カバーの回動支点側に重合配置され且つ用紙を前記画像読取り手段に沿うパスとして自動給紙する原稿送り装置とを備え、前記原稿送り装置を前記原稿カバーと同じ向きに開閉自在に前記ベッドに連接し、前記原稿カバーと原稿送り装置との間に、両者を開くときには一体に回動し且つ閉じるときには前記原稿送り装置を開いた姿勢に残して前記原稿カバーだけを開閉操作可能な関係を持たせて、前記画像読取り手段は前記原稿送り装置の下部分まで移動範囲があり、前記原稿カバーと前記原稿送り装置のそれぞれの基端を共通のヒンジ軸によってそれぞれ独立して回動自在に連接してなるものであり、画像入力装置の小型化が図れるとともに、手差し操作のときには原稿カバーだけを開閉させればよいという作用を有する。
【００１５】
請求項２に記載の発明は、前記原稿カバーの上面とこれに重合する前記原稿送り装置の下面との間に、これらの原稿カバーと原稿送り装置とを互いの重合による結合及び前記原稿カバーを閉じる方向への引き離しによる分離操作が可能な着脱機構を備えてなる請求項１記載の原稿送り装置を備える画像入力装置であり、原稿カバーと原稿送り装置の重合面を利用してその結合と分離が行えるので、着脱機構も装置全体の嵩の中に収まり、装置の小型化に貢献するという作用を有する。
【００１６】
請求項３に記載の発明は、前記着脱機構は、前記原稿カバー側に備えられ前記原稿送り装置の下面側に向けて係合ヘッドを突き出した固定子と、前記原稿送り装置側に備えられ前記係合ヘッドの没入及び離脱を弾性的に許すクランパを備えた受容子とからなる請求項２記載の原稿送り装置を備える画像入力装置であり、たとえばクランパが弾性的に開閉するような構造としておけば、係合ヘッドの没入のための位置関係の許容度が大きくできるという作用を有する。
【００１７】
請求項４に記載の発明は、前記原稿送り装置とベッドとの間を、前記回動支点周りの前記原稿送り装置の開閉に連動して起倒動作するリンク機構により連接し、前記リンク機構は、前記原稿送り装置をその最大開度まで起立させる上死点と、この上死点よりも小さい開度で前記原稿送り装置を起立姿勢に拘束するロック点とを含む動作を持つ請求項１から３のいずれかに記載の原稿送り装置を備える画像入力装置であり、原稿送り装置を起立させたロック位置から上死点まで回動させればロックを解除して原稿送り装置を閉じることができるという作用を有する。
【００１９】
以下、本発明の実施の形態について図面に基づき説明する。
図１は本発明の自動原稿送り装置を備える画像入力装置の外観図である。
【００２０】
図１において、画像入力装置は、光学系の走査モジュールを走査方向に移動可能に内蔵したベッド１と、その上面に被せた原稿カバー２と、用紙を供給するための原稿送り装置３とから構成されている。原稿送り装置３は、従来技術の項でも説明したように、用紙を自動的に１枚ずつ画像読取り部に供給する機能を持つＡＤＦとしたものである。
【００２１】
ベッド１の上面には、図１の（ｂ）に示すように、原稿送り装置３の端部に少し重なり合う部分から前面の操作盤１ａ側の端部にかけて原稿台１ｂを配置し、内部には原稿台１ｂの全域を含み原稿送り装置３の下部にかけて移動する走査モジュール１ｃ（図２参照）を組み込んでいる。この走査モジュール１ｃは、従来の画像入力装置においても使用されている周知のものであって、光学的な画像読取り機能を持つ。そして、走査モジュール１ｃによって読み取られた原稿の画像信号は画像処理部等によって処理されてメモリに格納される。
【００２２】
原稿カバー２と原稿送り装置３は、図１の（ｂ）に示すように、ともに一体となって上下に開閉できるようにベッド１の一端側に連接され、上側に開いたときには原稿台１ｂの全体を開放する。そして、原稿カバー２と原稿送り装置３を開いその起立姿勢としたときには、原稿送り装置３は起立姿勢に拘束される一方で原稿カバー２は自由に開閉操作できる関係とする。なお、図１の（ｂ）は原稿カバー２と原稿送り装置３とを最大角度まで回動させた状態を示している。
【００２３】
図２は原稿送り装置３の用紙の供給系統と画像読取り系を示す要部の概略図である。
【００２４】
図示の状態は、原稿カバー２と原稿送り装置３は共に閉じた姿勢にあり、このとき、ベッド１の内部の走査モジュール１ｃは原稿台１ｂ部分から外れて原稿送り装置３の真下部分に移動している。そして、原稿送り装置３には、用紙を載せるためのトレイ３ａを前面に突き出すとともに内部には用紙をパスさせるためのローラ群３ｂが配置されている。なお、原稿用紙の両面の画像を同時に読み取るため、用紙のパスを挟んで走査モジュール１ｃと反対側の位置に画像読取りのための密着センサ３ｃを備えたものとしてもよい。
【００２５】
図３は図１の状態であって、原稿カバー２と原稿送り装置３は共に閉じた姿勢にあるときの左側面図である。
【００２６】
原稿カバー２と原稿送り装置３が閉じているときには、図２に示したように、走査モジュール１ｃは原稿台１ｂ部分から外れて原稿送り装置３の真下部分に移動して停止する。そして、原稿送り装置３はトレイ３ａから用紙を１枚ずつローラ群３ｂによって図中の矢印方向に引き込み、走査モジュール１ｃは引き込まれた用紙が移動していく間に画像を連続的に読み取り、その後用紙は原稿カバー２の上面に排出される。また、密着センサ３ｃによって用紙の裏面側の画像も同時に読み取られる。
【００２７】
また、図４は原稿送り装置３が起立した姿勢に保持され、原稿カバー２は自由に上下に開閉できる状態を示している。このとき、ベッド１内の走査モジュール１ｃは原稿台１ａ部分を移動しながらスキャンできる態勢に戻されている。そして、原稿カバー２を開いて原稿台１ｂの上に原稿を手差しでセットした後に原稿カバー２を閉じて操作盤１ａのスイッチを操作することで、走査モジュール１ｃによって原稿の画像が読み取られる。
【００２８】
本発明は、この図４で示す手差しによる画像の読取りの際には、原稿カバー２だけを上下に開閉させるようにし、原稿送り装置３は起立させたままとしてその重量による作業負担を軽減しようとしたものである。このような原稿カバー２と原稿送り装置３の動作を可能とするための機構の要部を図４と図５にそれぞれ示す。
【００２９】
図４において、ベッド１の一端には、原稿カバー２と原稿送り装置３の基端をそれぞれ独立して回動自在に連接するためのヒンジ軸４を設ける。すなわち、原稿カバー２はその基端をヒンジ軸４周りに外挿して連接され、原稿送り装置３はその正面から見て左右に一対配置した金属製の一対のフレーム５が同様の構造によって回動可能に連接される。そして、原稿カバー２と原稿送り装置３との間には、これらを一体に回動させるために連結するとともに原稿カバー２だけを開閉させるためにこれを自由とする着脱機構を設ける。
【００３０】
この着脱機構は、原稿カバー２に取り付けた固定子６と原稿送り装置３のフレーム５に配置した受容子７との組み合わせとしたものであり、原稿カバー２の左右の両端部と原稿送り装置３の一対のフレーム５とがこれらの固定子６と受容子７を介して連結される。固定子６は受容子７に向けて菱形状のプロフィルを持たせた係合ヘッド６ａを備え、受容子７はこの係合ヘッド６ａを挟み込む２本のクランパ７ａを設けたものである。これらのクランパ７ａは、受容子７に備えたスプリング（図示せず）によって係合ヘッド６ａを挟み込んで拘束可能としたものである。なお、図１０に固定子６と受容個７の詳細を示す。
【００３１】
更に、原稿送り装置３とベッド１との間は、原稿送り装置３を原稿カバー２と一体に起立させたときに原稿送り装置３だけを起立姿勢にロックするためのリンクロッド８に連接する。このリンクロッド８はフレーム５と原稿カバー２を正面から見たときに左右のいずれかの一方または左右に一対配置されるもので、図５に右配置のリンクロッド８による連接構造の要部及び図６に右配置のリンクロッド８の詳細を示す。
【００３２】
リンクロッド８は、図６に示すように、下端側を緩やかに曲げたほぼＪ字状の形状を持ち、下端側にはベッド１に対して回動可能に連接するための支軸８ａを設け上端側にはスリット８ｂを切開している。そして、スリット８ｂよりも先端側であって左側に偏った部分に突起状のストッパ８ｃを設け、スリット８ｂに沿う部分の両辺には長さが異なるガイドリブ８ｄ，８ｅを立ち上げている。なお、左配置のリンクロッドは、図６の（ａ）に示したものを上下面反転した姿勢として支軸，ストッパ及びガイドリブのそれぞれを反対側に突き出したものとすればよい。
【００３３】
リンクロッド８は、図５に示すように、ベッド１に設けたビーム１ｄから立ち上げたフランジ１ｅに補助リンク１ｆを介してベッド１に連接される。すなわち、フランジ１ｅの上端に回動自在に補助リンク１ｆの基端を取り付け、その先端を支軸８ａを回転自在に連接され、原稿送り装置３が閉じた姿勢にあるときにはリンクロッド８はほぼ水平に近い姿勢をとる。
【００３４】
一方、図６の（ａ）に示すように、スリット８ｂに通すビス９とこのビス９の周りに回転自在に外挿したロック用の回転子１０を介して、リンクロッド８はフレーム５側に連接される。この回転子１０はリンクロッド８のガイドリブ８ｄ，８ｅの間に差し込める短辺を持つ長方形のブロックであって、図６の（ｂ）に示すように対向する短辺にほぼＶ字状の係合溝１０ａ，１０ｂを形成したものである。
【００３５】
図７は原稿送り装置３を起立させていくときのリンクロッド８に対する回転子１０の挙動を示す概略図である。
【００３６】
原稿送り装置３を起立させていくと、リンクロッド８はその支軸８ａ周りに姿勢を変えていくと同時に、回転子８はガイドリブ８ｄ，８ｄ部分から抜けてストッパ８ｃ部分に達する（同図の（ａ），（ｂ））。そして、ストッパ８ｃは係合溝１０ｂに対して左側に位置しているので、このストッパ８ｃに回転子１０が突き当たって上死点に至ると、係合溝１０ｂがストッパ８ｃに倣いながら同図の（ｃ）のように姿勢を変える。このとき、フレーム５はリンクロッド８に対してストロークエンドまで達し、原稿送り装置３はその最大回動角度すなわち上死点まで回動する。そして、原稿送り装置３を起立させる向きの作用力をなくすと、自重によって閉じる方向に回動する。その結果、同図の（ｃ）に示すように係合溝１０ａがガイドリブ８ｄの上端に引っ掛かり、したがってフレーム５は回転子１０を介してリンクロッド８に係合してロックされ、原稿送り装置３は図２及び図３に示した起立位置に保持される。
【００３７】
図８は原稿送り装置３を起立姿勢から倒す操作のときのリンクロッド８に対する回転子１０の挙動を示す概略図である。
【００３８】
原稿送り装置３を倒すときには、図７の（ｄ）の状態のロックを解除するため、原稿送り装置３を上死点側へ開くようにする。これにより、図８の（ａ）に示すように回転子１０が上側に移動して係合溝１０ｂの外側面がストッパ８ｃに突き当たる。したがって、回転子１０は同図の（ｂ）のように姿勢を変え、この状態で原稿送り装置３を倒していくと、同図の（ｃ）に示すように係合溝１０ａの外側面がガイドリブ８ｄの先端部に突き当たる。このため、回転子１０は更に回転し、図７の（ａ）の初期の状態とは係合溝１０ａ，１０ｂが反転してガイドリブ８ｄ，８ｅの中に速やかに入り込み、リンクロッド８に対するビス９の連接点の位置を変えることができる。
【００３９】
以上の構成において、原稿送り装置３によって用紙の自動給紙による画像入力の場合では、図１及び図３に示したように、原稿カバー２と原稿送り装置３とを共に倒した状態とする。これにより、図２においてトレイ３ａから用紙がローラ群３ｂによって引き込まれて、走査モジュール１ｃ及び両面読取りの場合は密着センサ３ｃによっても同時に画像が読み取られる。
【００４０】
用紙を一枚ずつ原稿台１ｂ上に載せて操作するときには、原稿カバー２を持ち上げて原稿送り装置９とともに引き上げる。このとき、原稿カバー２を引き上げられる角度は図７の（ｃ）で示したように、回転子１０の係合溝１０ｂがストッパ８ｃに突き当たって動かなくなくなる角度である。すなわち、原稿カバー２とともに原稿読取り装置３も回動していくので、そのフレーム５に固定されているビス９がリンクロッド８のスリット８ｂの中を移動していき、リンクロッド８は図５の姿勢から次第に図４の姿勢となるように起立していく。そして、係合溝１０ｂがストッパ８ｃに突き当たった後、原稿カバー２を引き上げる力をなくすと、原稿カバー２と原稿送り装置３が自重により閉じる方向に回動し、これによって図７の（ｄ）で示したロック状態に設定される。
【００４１】
図９はこのロック状態にあるときの原稿カバー２と原稿送り装置３の姿勢であり、ロックされている原稿送り装置３に対して固定子６と受容子７との係合によって原稿カバー２が原稿送り装置３に一体化されている。この姿勢のとき、原稿カバー２の先端側を下に引き下げると、係合ヘッド６ａがクランパ７ａを開かせながら下に移動して両者の間の係合が解かれる。したがって、原稿カバー２は原稿送り装置３とは無縁となり、図４に示すように原稿カバー２だけを開閉操作することができる。
【００４２】
このように、原稿送り装置３をそのロック位置まで一旦起立させて原稿カバー２をこれと無縁とするだけの操作で、原稿カバー２だけを開閉する作業で用紙の差し替えの作業をすることができる。したがって、重量の大きな原稿送り装置３も含めて原稿カバー２を開閉する作業は不要となり、多数の用紙を差し替えて画像読取りする場合でも、作業者の負担は軽減される。
【００４３】
また、原稿読取り装置３を使う場合に戻すときには、原稿カバー２を起立させて固定子６と受容子７とによって原稿送り装置３に一体化し、その後図９の回動角度まで引き上げる。これにより、回転子１０は図７の（ｄ）から図８の（ａ）の状態に姿勢を変え、原稿カバー２を引き下げると回転子１０はガイドリブ８ｄ，８ｅの中に入り込んで図３及び図５の閉じた姿勢に復帰する。
【００４４】
なお、原稿カバー２を原稿読取り装置３に一体としないでも、原稿読取り装置３だけを図９の角度まで起立させて回転子１０とガイドリブ８ｄの先端との間のロックを外すようにしてもよい。
【００４５】
【発明の効果】
本発明では、原稿カバーの一端側の上に原稿送り装置を重ね合わせる配置で備えるので、原稿カバーと原稿送り装置が占める平面嵩を小さくでき、ベッドを含む装置全体を小型化できる。また、用紙を手差しで取り扱うときには、原稿カバーを原稿送り装置とともに一度引き上げてこの原稿送り装置を起立姿勢のロックすれば、原稿カバーの開閉だけで作業できるので、作業負担が大幅に軽減される。
【図面の簡単な説明】
【図１】本発明の自動原稿送り装置を備える画像入力装置の外観図
【図２】原稿送り装置の用紙の搬送系及びベッドの走査モジュールの位置を示すための概略断面図
【図３】自動原稿送りの状態のときの画像入力装置の切欠左側面図
【図４】原稿送り装置を起立させて原稿カバーを開閉操作できる状態を示す画像入力装置の切欠左側面図
【図５】ベッドに対するリンクロッドの連接構造を示す要部の左側面図
【図６】リンクロッドの詳細を示す分解斜視図及び平面図
【図７】原稿送り装置を起立させてロックするまでのリンクロッドに対する回転子の挙動を順に示す概略図
【図８】原稿送り装置をロック位置から解除して倒していくときのリンクロッドに対する回転子の挙動を順に示す図
【図９】原稿カバーを引き上げて原稿送り装置をロック状態まで起立させたときの画像入力装置の左側面図
【図１０】固定子と受容子の要部詳細図
【図１１】従来の画像入力装置の概略図
【符号の説明】
１  ベッド
１ａ  操作盤
１ｂ  原稿台
１ｃ  走査モジュール
１ｆ  補助リンク
２  原稿カバー
３  原稿送り装置
３ａ  トレイ
３ｂ  ローラ群
３ｃ  密着センサ
４  ヒンジ軸
５  フレーム
６  固定子
６ａ  係合ヘッド
７  受容子
７ａ  クランパ
８  リンクロッド
８ａ  支軸
８ｂ  スリット
８ｃ  ストッパ
８ｄ，８ｅ  ガイドリブ
９  ビス
１０  回転子
１０ａ，１０ｂ  係合溝
【図１】
0003991445.tif 000002
【図２】
0003991445.tif 000003
【図３】
0003991445.tif 000004
【図４】
0003991445.tif 000005
【図５】
0003991445.tif 000006
【図６】
0003991445.tif 000007
【図７】
0003991445.tif 000008
【図８】
0003991445.tif 000009
【図９】
0003991445.tif 000010
【図１０】
0003991445.tif 000011
【図１１】
0003991445.tif 000012